(57)【特許請求の範囲】
【請求項１】
長尺な器具本体の一端部に、器具本体の長手方向に延び、同一円周上において１８０度間隔で対向配置された一対の円弧状の長孔を有すると共に、上記器具本体の他端部に、一対の長孔挿入部材を備えて成る照明器具を複数連結する照明器具用連結具であって、該照明器具用連結具は、所定の角度間隔で配置され、上記照明器具と連結する複数の腕部を備えており、各腕部には、上記照明器具の一対の長孔に挿入可能な一対の長孔挿入部材、又は、腕部の長手方向に延び、同一円周上において１８０度間隔で対向配置されると共に、上記照明器具の一対の長孔挿入部材が挿入可能な一対の長孔の何れかが形成されていることを特徴とする照明器具用連結具。
【請求項２】
上記照明器具の一対の長孔の中心角が９０度であり、上記腕部に形成される一対の長孔の中心角が９０度であることを特徴とする請求項１に記載の照明器具用連結具。
【請求項３】
９０度間隔で配置された第１の腕部、第２の腕部、第３の腕部及び第４の腕部を備えることを特徴とする請求項１又は２に記載の照明器具用連結具。
【請求項４】
上記第１の腕部及び第２の腕部には一対の長孔挿入部材が形成されており、上記第３の腕部及び第４の腕部には一対の長孔が形成されていることを特徴とする請求項３に記載の照明器具用連結具。
【請求項５】
上記照明器具の器具本体内部に光源が配置され、また、照明器具の長孔内に光源と電気的に接続された導体が延設されていると共に、照明器具の長孔挿入部材が、光源と電気的に接続された導電材で構成されており、
上記第１の腕部及び第２の腕部の長孔挿入部材が導電材で構成されており、また、上記第３の腕部の長孔内に、第２の腕部の長孔挿入部材と電気的に接続された導体が延設されていると共に、上記第４の腕部の長孔内に、第１の腕部の長孔挿入部材と電気的に接続された導体が延設されていることを特徴とする請求項４に記載の照明器具用連結具。
【請求項６】
上記光源が発光ダイオードであることを特徴とする請求項５に記載の連結式照明器具。
【請求項７】
導電材より成る長孔挿入部材が、コンタクトピンであることを特徴とする請求項５又は６に記載の連結式照明器具。
【発明の詳細な説明】
【技術分野】
【０００１】
この発明は、複数の照明器具を放射状に連結することのできる照明器具用連結具に関する。
【背景技術】
【０００２】
本出願人は、先に、特願２００９−１１０３０９号において、複数の長尺な照明器具同士をライン状に連結できる連結式照明器具を提案した。
図２１〜図３２に示すように、この連結式照明器具50は、長尺な基板52（図２３）と、該基板52の表面を覆う長尺な蓋部54を備えた器具本体56を有しており、該器具本体56は長尺で棒状の外観を呈している。
【０００３】
器具本体56を構成する上記基板52はアルミニウム等の導電材上に樹脂等の絶縁層（図示省略）を形成して構成されており、該基板52の表面には、光源としての６個の発光ダイオード（ＬＥＤ）60が所定間隔で配置されている（図２６）。また、６個のＬＥＤ60は、表面を半田メッキされた銅等より成る導体パターン（図示せず）を介して直列接続されている。
尚、各ＬＥＤ60は、６個のＬＥＤチップ（図示せず）を内蔵しており、これら６個のＬＥＤチップは、２個づつ並列接続されて３組のＬＥＤチップ群が構成されると共に、これら３組のＬＥＤチップ群同士が直列接続されているものである。
上記蓋部54は、樹脂等より成る透光性材料で構成されており、ＬＥＤ60の発光を透過させて外部へ放射できるようになっている。
【０００４】
図２１及び図２７に示すように、器具本体56を構成する上記蓋部54の一端部54ａには、器具本体56の長手方向に延びる円弧状の一対の長孔62ａ，62ｂが形成されている。上記一対の長孔62ａ，62ｂは、同一円周上において１８０度間隔で対向配置されており、また、その中心角は同一の９０度と成されている。
尚、上記長孔62ａ，62ｂ内に露出した基板52の表面には、上記ＬＥＤ60に接続された図示しない導体パターンが延設されている。
また、上記一対の長孔62ａ，62ｂ間には、ネジ孔64が形成されている。
【０００５】
また、上記蓋部54の他端部54ｂは、基板52の端部から外方に所定距離突出しており、また、ネジ孔65が形成されている。
【０００６】
さらに、図２１及び図２６に示すように、長孔62ａ，62ｂが形成されている一端部54ａを除く、上記蓋部54の内面には、微細な凹凸66（図２６）を形成して構成した光拡散部68が形成されている。すなわち、長孔62ａ，62ｂが形成された一端部54ａを除き、ＬＥＤ60上方の蓋部54内面及び他端部54ｂ内面に、微細な凹凸66より成る上記光拡散部68が形成されている。
上記光拡散部68は、ＬＥＤ60の発光を拡散させることにより、蓋部54から放射される発光の均一化を図るために設けたものである。
蓋部54の内面に形成した上記光拡散部68は、透光性の蓋部54の外部から視認されるようになっている。
【０００７】
また、上記蓋部54の他端部54ｂの内面側には、導電材より成る長孔挿入部材としての一対のコンタクトピン69ａ，69ｂが設けられている。
すなわち、図２３及び図３２に示すように、その後端が、上記基板52に接続・固定されると共に、先端は、上記蓋部54の他端部54ｂの下方に配置された一対の導電板70，70が設けられており、該導電板70，70の先端に形成した孔（図示せず）にコンタクトピン69ａ，69ｂを挿通固定している。これらコンタクトピン69ａ，69ｂは、連結式照明器具50同士を連結する際に、他の連結式照明器具50の一対の長孔62ａ，62ｂ内に挿入されるものである。
尚、上記導電板70の後端は、ＬＥＤ60に接続された図示しない導体パターンと接続されている。
【０００８】
図２６に示すように、蓋部54と導電板70，70との間に、位置決部材74を介在させることにより、導電板70，70の上方への変形及びコンタクトピン69ａ，69ｂの上方への位置ずれを防止している。
【０００９】
尚、後述する通り、一方の連結式照明器具50のコンタクトピン69ａ，69ｂを、他方の連結式照明器具50の長孔62ａ，62ｂ内に挿入し、長孔62ａ，62ｂ内の導体パターン上に載置・接続して連結式照明器具50同士を連結すると、一方の連結式照明器具50のＬＥＤ60−導体パターン−導電板70−コンタクトピン69ａ，69ｂ−他方の連結式照明器具50の導体パターン−ＬＥＤ60とが電気的に接続され、連結式照明器具10同士の電気的接続も実現できるようになっている。
【００１０】
上記構成を備えた本発明の連結式照明器具50同士を連結するには、図２８〜図３２に示すように、一方の連結式照明器具50Ａにおける蓋部54の他端部54ｂに設けたコンタクトピン69ａ，69ｂを、他方の連結式照明器具50Ｂにおける蓋部54の一端部54ａに設けた長孔62ａ，62ｂ内に挿入し、コンタクトピン69ａ，69ｂを導体パターン（図示省略）上に載置・接続する。
尚、図３２に示す通り、一方の連結式照明器具50Ａのコンタクトピン69ａ，69ｂを、他方の連結式照明器具50Ｂの長孔62ａ，62ｂ内に挿入した状態においては、一方の連結式照明器具50Ａの蓋部54の他端部54ｂが、他方の連結式照明器具50Ｂの蓋部54の一端部54ａ上に配置されることとなり、他方の連結式照明器具50Ｂの蓋部54の一端部54ａは外部から視認できなくなる。また、一方の連結式照明器具50Ａの蓋部54の上面と、他方の連結式照明器具50Ｂの蓋部54の上面とは面一と成される。
【００１１】
そして、コンタクトピン69ａ，69ｂが長孔62ａ，62ｂ内に挿入された状態で、コンタクトピン69ａ，69ｂを円弧状の長孔62ａ，62ｂに沿って移動させれば、一方の連結式照明器具50Ａが回転するので連結角度を調整することができる。
すなわち、上記した通り、一対の円弧状の長孔62ａ，62ｂは、同一円周上において１８０度間隔で対向配置されると共に、中心角が９０度と成されているので、図２８及び図２９に示すように、一対のコンタクトピン69ａ，69ｂを共に、長孔62ａ，62ｂの中央位置に配置すれば、連結式照明器具50Ａ，50Ｂ同士をライン状に連結することができる。尚、説明の便宜上、図２９においては、長孔62ａ，62ｂ及びコンタクトピン69ａ，69ｂ近傍の光拡散部68を省略して表現している。
【００１２】
また、図３０及び図３１に示すように、一方のコンタクトピン69ａを長孔62ａの左端位置に配置すると共に、他方のコンタクトピン69ｂを長孔62ｂの右端位置に配置すれば、一方の連結式照明器具50Ａを他方の連結式照明器具50Ｂに対して上方４５度の角度で連結することができる。尚、説明の便宜上、図３１においては、長孔62ａ，62ｂ及びコンタクトピン69ａ，69ｂ近傍の光拡散部68を省略して表現している。
さらに、図示は省略するが、一方のコンタクトピン69ａを長孔62ａの右端位置に配置すると共に、他方のコンタクトピン69ｂを長孔62ｂの左端位置に配置すれば、一方の連結式照明器具50Ａを他方の連結式照明器具50Ｂに対して下方４５度の角度で連結することができる。
以上の通り、上記連結式照明器具50は、他方の連結式照明器具50Ｂの長孔62ａ，62ｂ内に挿入された一方の連結式照明器具50Ａのコンタクトピン69ａ，69ｂを、長孔62ａ，62ｂに沿って移動させて一方の連結式照明器具50Ａを回転させることにより、９０度の範囲で連結角度の調整を行うことができるのである。
【００１３】
上記の通り、長孔62ａ，62ｂ内に露出した基板52の表面には、ＬＥＤ60に接続された導体パターンが延設され、また、コンタクトピン69ａ，69ｂは、ＬＥＤ60に接続された導体パターンと接続する導電板70に固定されている。
従って、コンタクトピン69ａ，69ｂを長孔62ａ，62ｂ内に挿入して導体パターン上に載置・接続した状態で、ネジ80を介して連結式照明器具50同士を連結すると、一方の連結式照明器具50ＡのＬＥＤ60−導体パターン−導電板70−コンタクトピン69ａ，69ｂ−他方の連結式照明器具50Ｂの導体パターン−ＬＥＤ60とが電気的に接続され、連結式照明器具50同士の電気的接続を実現できる。
【特許文献１】特願２００９−１１０３０９号
【発明の開示】
【発明が解決しようとする課題】
【００１４】
出願人が提案した上記連結式照明器具50は、上記の通り、照明器具同士をライン状に連結するものであったが、その設置場所によっては、複数の照明器具を放射状に連結することを求められる場合がある。
【００１５】
本発明は、上記問題に鑑みてなされたものであり、その目的とするところは、複数の照明器具を放射状に連結できると共に、連結角度の調整を行うことができる照明器具用連結具を実現することにある。
【課題を解決するための手段】
【００１６】
上記の目的を達成するため、請求項１に記載の照明器具用連結具は、
長尺な器具本体の一端部に、器具本体の長手方向に延び、同一円周上において１８０度間隔で対向配置された一対の円弧状の長孔を有すると共に、上記器具本体の他端部に、一対の長孔挿入部材を備えて成る照明器具を複数連結する照明器具用連結具であって、該照明器具用連結具は、所定の角度間隔で配置され、上記照明器具と連結する複数の腕部を備えており、各腕部には、上記照明器具の一対の長孔に挿入可能な一対の長孔挿入部材、又は、腕部の長手方向に延び、同一円周上において１８０度間隔で対向配置されると共に、上記照明器具の一対の長孔挿入部材が挿入可能な一対の長孔の何れかが形成されていることを特徴とする。
【００１７】
請求項２に記載の照明器具用連結具は、請求項１に記載の照明器具用連結具において、
上記照明器具の一対の長孔の中心角が９０度であり、上記腕部に形成される一対の長孔の中心角が９０度であることを特徴とする。
【００１８】
請求項３に記載の照明器具用連結具は、請求項１又は２に記載の照明器具用連結具において、
９０度間隔で配置された第１の腕部、第２の腕部、第３の腕部及び第４の腕部を備えることを特徴とする。
【００１９】
請求項４に記載の照明器具用連結具は、請求項３に記載の照明器具用連結具において、
上記第１の腕部及び第２の腕部には一対の長孔挿入部材が形成されており、上記第３の腕部及び第４の腕部には一対の長孔が形成されていることを特徴とする。
【００２０】
請求項５に記載の照明器具用連結具は、請求項４に記載の照明器具用連結具において、
上記照明器具の器具本体内部に光源が配置され、また、照明器具の長孔内に光源と電気的に接続された導体が延設されていると共に、照明器具の長孔挿入部材が、光源と電気的に接続された導電材で構成されており、
上記第１の腕部及び第２の腕部の長孔挿入部材が導電材で構成されており、また、上記第３の腕部の長孔内に、第２の腕部の長孔挿入部材と電気的に接続された導体が延設されていると共に、上記第４の腕部の長孔内に、第１の腕部の長孔挿入部材と電気的に接続された導体が延設されていることを特徴とする。
【００２１】
請求項６に記載の照明器具用連結具は、請求項５に記載の照明器具用連結具において、
上記光源が発光ダイオードであることを特徴とする。
【００２２】
請求項７に記載の照明器具用連結具は、請求項５又は６に記載の照明器具用連結具において、
導電材より成る長孔挿入部材が、コンタクトピンであることを特徴とする。
【発明の効果】
【００２３】
本発明の請求項１に記載の照明器具用連結具は、長尺な器具本体の一端部に、器具本体の長手方向に延び、同一円周上において１８０度間隔で対向配置された一対の円弧状の長孔を有すると共に、上記器具本体の他端部に、一対の長孔挿入部材を備えて成る照明器具を複数連結する照明器具用連結具であって、所定の角度間隔で配置され、上記照明器具と連結する複数の腕部を備えており、各腕部には、上記照明器具の一対の長孔に挿入可能な一対の長孔挿入部材、又は、腕部の長手方向に延び、同一円周上において１８０度間隔で対向配置されると共に、上記照明器具の一対の長孔挿入部材が挿入可能な一対の長孔の何れかが形成されているので、腕部の長孔挿入部材を照明器具の長孔内に挿入することにより、或いは、腕部の長孔内に照明器具の長孔挿入部材を挿入することにより、複数の照明器具を放射状に連結することができる。
また、腕部の長孔挿入部材を照明器具の長孔内に挿入した状態で、腕部の長孔挿入部材を円弧状の長孔に沿って移動させることにより、或いは、腕部の長孔内に照明器具の長孔挿入部材を挿入した状態で、照明器具の長孔挿入部材を円弧状の長孔に沿って移動させることにより、照明器具と腕部との連結角度を調整できる。
【００２４】
請求項２に記載の照明器具用連結具の如く、請求項１に記載の照明器具用連結具において、照明器具の一対の長孔の中心角を９０度と成すと共に、上記腕部に形成される一対の長孔の中心角を９０度と成した場合には、照明器具の長孔内に挿入された腕部の長孔挿入部材を、長孔に沿って移動させると共に、腕部の長孔内に挿入された照明器具の長孔挿入部材を、長孔に沿って移動させることにより、照明器具と腕部との連結角度を９０度の範囲で調整することができる。
【００２５】
請求項５に記載の照明器具用連結具の如く、請求項４に記載の照明器具用連結具において、照明器具の長孔内に光源と電気的に接続された導体を延設すると共に、照明器具の長孔挿入部材を、光源と電気的に接続された導電材で構成し、また、第１の腕部及び第２の腕部の長孔挿入部材を導電材で構成し、さらに、第３の腕部の長孔内に、第２の腕部の長孔挿入部材と電気的に接続された導体を延設すると共に、第４の腕部の長孔内に、第１の腕部の長孔挿入部材と電気的に接続された導体を延設した場合には、第１の腕部に連結された照明器具と第４の腕部に連結された照明器具との電気的接続を実現できると共に、第２の腕部に連結された照明器具と第３の腕部に連結された照明器具との電気的接続を実現できる。
【発明を実施するための最良の形態】
【００２６】
以下、図面に基づき、本発明に係る照明器具用連結具の実施形態を説明する。
図１は、本発明に係る照明器具用連結具10の正面図、図２は背面図、図３は平面図、図４は底面図、図５は右側面図、図６は左側面図、図７は斜視図、図８は、図１のＡ−Ａ’拡大断面図、図９は、図１のＢ−Ｂ’拡大断面図である。
【００２７】
本発明の照明器具用連結具10は、基板12（図２参照）と、該基板12の表面を覆う蓋部14を有しており、第１の腕部16、第２の腕部18、第３の腕部20及び第４の腕部22を備えた略十字形状の外観を呈している。
図１に示すように、上記第１の腕部16は上方向に延設され、第２の腕部18は右方向に延設され、第３の腕部20は下方向に延設され、第４の腕部22は左方向に延設されている。すなわち、第１の腕部16〜第４の腕部22は、９０度間隔で配置されている。
上記蓋部14は、樹脂等より成る透光性材料で構成されている。
【００２８】
図２、図３及び図８等に示すように、上記第１の腕部16及び第２の腕部18を構成する蓋部14は、基板12の端部から外方に所定距離突出していると共に、その内面側には、導電材より成る長孔挿入部材としての一対のコンタクトピン23ａ，23ｂが形成されている。
すなわち、第１の腕部16及び第２の腕部18には、その後端が、上記基板12に接続・固定されると共に、先端は、蓋部14の下方に配置された一対の導電板24，24が設けられており（図２及び図８参照）、該導電板24，24の先端に形成した孔（図示せず）にコンタクトピン23ａ，23ｂを挿通固定している。
これらコンタクトピン23ａ，23ｂは、後述する通り、照明器具50を連結する際に、該照明器具50の一対の長孔62ａ，62ｂ内に挿入されるものである。
【００２９】
上記コンタクトピン23ａ，23ｂは、図１０に示す如く、筒状体25の内部にスプリング26を内蔵すると共に、該スプリング26に接続され、上記筒状体25に挿通可能な先端部27を有しており、上記先端部27が押圧されるとスプリング26が圧縮されるようになっている。
【００３０】
尚、図８に示すように、蓋部14と導電板24，24との間に、図１２に示す位置決部材28を介在させることにより、導電板24，24の上方への変形及びコンタクトピン23ａ，23ｂの上方への位置ずれを防止している。
【００３１】
上記第１の腕部16及び第２の腕部18を構成する蓋部14には、ネジ孔29が形成されている（図１及び図８参照）。
【００３２】
また、図１及び図９等に示すように、上記第３の腕部20と、第４の腕部22を構成する蓋部14には、第３の腕部20の長手方向、第４の腕部22の長手方向に延びる円弧状の一対の長孔30ａ，30ｂがそれぞれ形成されている。
上記一対の長孔30ａ，30ｂは、同一円周上において１８０度間隔で対向配置されており、また、その中心角は同一の９０度と成されている。
尚、後述する通り、上記長孔30ａ，30ｂ内に露出した基板12の表面には、４本の導体パターン34ａ，34ｂ，34ｃ，34ｄが延設されている。
また、上記一対の長孔30ａ，30ｂ間には、ネジ孔31が形成されている。
【００３３】
図１及び図８に示すように、長孔30ａ，30ｂが形成されている部分を除く、上記蓋部14の内面には、微細な凹凸32（図８）を形成して構成した光拡散部33が形成されている。
蓋部14の内面に形成した上記光拡散部33は、透光性の蓋部14の外部から視認されるようになっている。
【００３４】
上記基板12は、例えば樹脂等より成る絶縁材料で構成されており、該基板12上には、表面を半田メッキされた銅等より成る導体としての導体パターン34が形成されている。
図１１に示すように、基板12上には４本の導体パターン34ａ，34ｂ，34ｃ，34ｄが形成されており、第１の導体パターン34ａは、その一端が、第１の腕部16の一方のコンタクトピン23ａと導電板24を介して接続されると共に、他端が、第４の腕部22の一方の長孔30ａ内に露出する位置まで延設されている。
また、第２の導体パターン34ｂは、その一端が、第１の腕部16の他方のコンタクトピン23ｂと導電板24を介して接続されると共に、他端が、第４の腕部22の他方の長孔30ｂ内に露出する位置にまで延設されている。
さらに、第３の導体パターン34ｃは、その一端が、第２の腕部18の一方のコンタクトピン23ａと導電板24を介して接続されると共に、他端が、第３の腕部20の一方の長孔30ａ内に露出する位置にまで延設されている。
さらにまた、第４の導体パターン34ｄは、その一端が、第２の腕部18の他方のコンタクトピン23ｂと導電板24を介して接続されると共に、他端が、第３の腕部20の他方の長孔30ｂ内に露出する位置にまで延設されている。
【００３５】
以上の結果、コンタクトピン23ａ，23ｂを有する第１の腕部16と長孔30ａ，30ｂを有する第４の腕部22とが、第１の導体パターン34ａ及び第２の導体パターン34ｂを介して電気的接続が可能となり、また、コンタクトピン23ａ，23ｂを有する第２の腕部18と長孔30ａ，30ｂを有する第３の腕部20とが、第３の導体パターン34ｃ及び第４の導体パターン34ｄを介して電気的接続が可能となる。
【００３６】
上記構成を備えた本発明の照明器具用連結具10は、出願人が先に提案した上記連結式照明器具50（以下、照明器具50と称する）を放射状に連結するために用いられるものである。
すなわち、本発明の照明器具用連結具に連結する照明器具50は、図２１〜図２７に示すように、この連結式照明器具50は、長尺な基板52（図２３）と、該基板52の表面を覆う長尺な蓋部54を備えた器具本体56を有しており、該器具本体56は長尺で棒状の外観を呈している。
【００３７】
器具本体56を構成する上記基板52はアルミニウム等の導電材上に樹脂等の絶縁層（図示省略）を形成して構成されており、該基板52の表面には、光源としての６個の発光ダイオード（ＬＥＤ）60が所定間隔で配置されている（図２６）。また、６個のＬＥＤ60は、表面を半田メッキされた銅等より成る導体パターン（図示せず）を介して直列接続されている。
尚、各ＬＥＤ60は、６個のＬＥＤチップ（図示せず）を内蔵しており、これら６個のＬＥＤチップは、２個づつ並列接続されて３組のＬＥＤチップ群が構成されると共に、これら３組のＬＥＤチップ群同士が直列接続されているものである。
上記蓋部54は、樹脂等より成る透光性材料で構成されており、ＬＥＤ60の発光を透過させて外部へ放射できるようになっている。
【００３８】
図２１及び図２７に示すように、器具本体56を構成する上記蓋部54の一端部54ａには、器具本体56の長手方向に延びる円弧状の一対の長孔62ａ，62ｂが形成されている。上記一対の長孔62ａ，62ｂは、同一円周上において１８０度間隔で対向配置されており、また、その中心角は同一の９０度と成されている。
尚、上記長孔62ａ，62ｂ内に露出した基板52の表面には、上記ＬＥＤ60に接続された図示しない導体としての導体パターンが延設されている。
また、上記一対の長孔62ａ，62ｂ間には、ネジ孔64が形成されている。
【００３９】
また、上記蓋部54の他端部54ｂは、基板52の端部から外方に所定距離突出しており、また、ネジ孔65が形成されている。
【００４０】
さらに、図２１及び図２６に示すように、長孔62ａ，62ｂが形成されている一端部54ａを除く、上記蓋部54の内面には、微細な凹凸66（図２６）を形成して構成した光拡散部68が形成されている。すなわち、長孔62ａ，62ｂが形成された一端部54ａを除き、ＬＥＤ60上方の蓋部54内面及び他端部54ｂ内面に、微細な凹凸66より成る上記光拡散部68が形成されている。
上記光拡散部68は、ＬＥＤ60の発光を拡散させることにより、蓋部54から放射される発光の均一化を図るために設けたものである。
蓋部54の内面に形成した上記光拡散部68は、透光性の蓋部54の外部から視認されるようになっている。
【００４１】
また、上記蓋部54の他端部54ｂの内面側には、導電材より成る長孔挿入部材としての一対のコンタクトピン69ａ，69ｂが設けられている。
すなわち、図２３及び図３２に示すように、その後端が、上記基板52に接続・固定されると共に、先端は、上記蓋部54の他端部54ｂの下方に配置された一対の導電板70，70が設けられており、該導電板70，70の先端に形成した孔（図示せず）にコンタクトピン69ａ，69ｂを挿通固定している。これらコンタクトピン69ａ，69ｂは、連結式照明器具50同士を連結する際に、他の連結式照明器具50の一対の長孔62ａ，62ｂ内に挿入されるものである。尚、コンタクトピン69ａ，69ｂは、本発明の照明器具用連結具10のコンタクトピン23ａ，23ｂと同一構造のものである。
上記導電板70の後端は、ＬＥＤ60に接続された図示しない導体としての導体パターンと接続されている。
【００４２】
図２６及び図３２に示すように、蓋部54と導電板70，70との間に、位置決部材74を介在させることにより、導電板70，70の上方への変形及びコンタクトピン69ａ，69ｂの上方への位置ずれを防止している。尚、位置決部材74は、本発明の照明器具用連結具10の位置決部材28と同一構造のものである。
【００４３】
以下において、本発明の上記照明器具用連結具10に、４本の上記照明器具50Ａ〜50Ｄ（図２１〜図２７参照）を放射状に連結する場合を図１３〜図２０に基づいて説明する。
先ず、第１の腕部16を構成する蓋部14に設けたコンタクトピン23ａ，23ｂを、第１の照明器具50Ａの蓋部54の一端部54ａに設けた長孔62ａ，62ｂ内に挿入し、第１の腕部16のコンタクトピン23ａ，23ｂを、第１の照明器具50Ａの長孔62ａ，62ｂ内に露出する導体パターン（図示省略）上に載置・接続する。
同様に、第２の腕部18を構成する蓋部14に設けたコンタクトピン23ａ，23ｂを、第２の照明器具50Ｂの蓋部54の一端部54ａに設けた長孔62ａ，62ｂ内に挿入し、第２の腕部18のコンタクトピン23ａ，23ｂを、第２の照明器具50Ｂの長孔62ａ，62ｂ内に露出する導体パターン（図示省略）上に載置・接続する。
尚、図１１、図１４及び図１５に示すように、第１の腕部16及び第２の腕部18のコンタクトピン23ａ，23ｂを、第１の照明器具50Ａ及び第２の照明器具50Ｂの長孔62ａ，62ｂ内に挿入した状態においては、第１の腕部16及び第２の腕部18が、第１の照明器具50Ａ及び第２の照明器具50Ｂの一端部54ａ上に配置されることとなり、第１の照明器具50Ａ及び第２の照明器具50Ｂの一端部54ａは外部から視認できなくなる。また、第１の腕部16及び第２の腕部18の蓋部14の上面と、第１の照明器具50Ａ及び第２の照明器具50Ｂの蓋部54の上面とは面一と成される。
【００４４】
また、第３の腕部20を構成する蓋部14に設けた長孔30ａ，30ｂ内に、第３の照明器具50Ｃの蓋部54の他端部54ｂに設けたコンタクトピン69ａ，69ｂを挿入し、第３の照明器具50Ｃのコンタクトピン69ａ，69ｂを、第３の腕部20の長孔30ａ，30ｂ内に露出した第３の導体パターン34ｃ、第４の導体パターン34ｄ上に載置・接続する。
同様に、第４の腕部22を構成する蓋部14に設けた長孔30ａ，30ｂ内に、第４の照明器具50Ｄの蓋部54の他端部54ｂに設けたコンタクトピン69ａ，69ｂを挿入し、第４の照明器具50Ｄのコンタクトピン69ａ，69ｂを、第４の腕部22の長孔30ａ，30ｂ内に露出した第１の導体パターン34ａ、第２の導体パターン34ｂ上に載置・接続する。
尚、図１１、図１４及び図１５に示すように、第３の腕部20及び第４の腕部22の長孔30ａ，30ｂ内に、第３の照明器具50Ｃ及び第４の照明器具50Ｄのコンタクトピン69ａ，69ｂを挿入した状態においては、第３の照明器具50Ｃ及び第４の照明器具50Ｄの他端部54ｂが、第３の腕部20及び第４の腕部22上に配置されることとなり、第３の腕部20及び第４の腕部22の長孔30ａ，30ｂ形成部分は外部から視認できなくなる。また、第３の腕部20及び第４の腕部22の蓋部14の上面と、第３の照明器具50Ｃ及び第４の照明器具50Ｄの蓋部54の上面とは面一と成される。
【００４５】
尚、第１の腕部16及び第２の腕部18のコンタクトピン23ａ，23ｂが、第１の照明器具50Ａ及び第２の照明器具50Ｂの長孔62ａ，62ｂ内に挿入された状態で、コンタクトピン23ａ，23ｂを円弧状の長孔62ａ，62ｂに沿って移動させることにより、第１の腕部16と第１の照明器具50Ａとの連結角度、第２の腕部18と第２の照明器具50Ｂとの連結角度を調整できる。
また、第３の腕部20及び第４の腕部22の長孔30ａ，30ｂ内に、第３の照明器具50Ｃ及び第４の照明器具50Ｄのコンタクトピン69ａ，69ｂが挿入された状態で、コンタクトピン69ａ，69ｂを円弧状の長孔30ａ，30ｂに沿って移動させることにより、第３の腕部20と第３の照明器具50Ｃとの連結角度、第４の腕部22と第４の照明器具50Ｄとの連結角度を調整できる。
【００４６】
すなわち、第１の照明器具50Ａ及び第２の照明器具50Ｂの一対の円弧状の長孔62ａ，62ｂは、同一円周上において１８０度間隔で対向配置されると共に、中心角が９０度と成されているので、図１８に示すように、第１の腕部16及び第２の腕部18の一対のコンタクトピン23ａ，23ｂを共に、第１の照明器具50Ａ及び第２の照明器具50Ｂの一対の長孔62ａ，62ｂの中央位置に配置すれば、第１の腕部16と第１の照明器具50Ａ同士、第２の腕部18と第２の照明器具50Ｂ同士がライン状に連結される（図１３参照）。尚、説明の便宜上、図１８においては、コンタクトピン23ａ，23ｂ及び長孔62ａ，62ｂ近傍の光拡散部33，68を省略して表現している。
同様に、第３の腕部20及び第４の腕部22の一対の円弧状の長孔30ａ，30ｂも、同一円周上において１８０度間隔で対向配置されると共に、中心角が９０度と成されているので、第３の照明器具50Ｃ及び第４の照明器具50Ｄの一対のコンタクトピン69ａ，69ｂを共に、第３の腕部20及び第４の腕部22の一対の長孔30ａ，30ｂの中央位置に配置すれば（図示省略）、第３の腕部20と第３の照明器具50Ｃ同士、第４の腕部22と第４の照明器具50Ｄ同士がライン状に連結される（図１３参照）。
【００４７】
また、図１９及び図２０に示すように、第１の腕部16及び第２の腕部18の一方のコンタクトピン23ａを、第１の照明器具50Ａ及び第２の照明器具50Ｂの一方の長孔62ａの左端位置に配置すると共に、第１の腕部16及び第２の腕部18の他方のコンタクトピン23ｂを、第１の照明器具50Ａ及び第２の照明器具50Ｂの他方の長孔62ｂの右端位置に配置すれば、第１の照明器具50Ａ及び第２の照明器具50Ｂが、第１の腕部16及び第２の腕部18に対して、反時計回り方向４５度の角度で連結される。尚、説明の便宜上、図２０においては、コンタクトピン23ａ，23ｂ及び長孔62ａ，62ｂ近傍の光拡散部33，68を省略して表現している。
同様に、第３の照明器具50Ｃ及び第４の照明器具50Ｄの一方のコンタクトピン69ａを、第３の腕部20及び第４の腕部22の一方の長孔30ａの左端位置に配置すると共に、第３の照明器具50Ｃ及び第４の照明器具50Ｄの他方のコンタクトピン69ｂを、第３の腕部20及び第４の腕部22の他方の長孔30ｂの右端位置に配置すれば（図示省略）、第３の照明器具50Ｃ及び第４の照明器具50Ｄが、第３の腕部20及び第４の腕部22に対して、反時計回り方向４５度の角度で連結される。
【００４８】
さらに、図示は省略するが、第１の腕部16及び第２の腕部18の一方のコンタクトピン23ａを、第１の照明器具50Ａ及び第２の照明器具50Ｂの一方の長孔62ａの右端位置に配置すると共に、第１の腕部16及び第２の腕部18の他方のコンタクトピン23ｂを、第１の照明器具50Ａ及び第２の照明器具50Ｂの他方の長孔62ｂの左端位置に配置すれば、第１の照明器具50Ａ及び第２の照明器具50Ｂが、第１の腕部16及び第２の腕部18に対して、時計回り方向４５度の角度で連結される。
同様に、図示は省略するが、第３の照明器具50Ｃ及び第４の照明器具50Ｄの一方のコンタクトピン69ａを、第３の腕部20及び第４の腕部22の一方の長孔30ａの右端位置に配置すると共に、第３の照明器具50Ｃ及び第４の照明器具50Ｄの他方のコンタクトピン69ｂを、第３の腕部20及び第４の腕部22の他方の長孔30ｂの左端位置に配置すれば、第３の照明器具50Ｃ及び第４の照明器具50Ｄが、第３の腕部20及び第４の腕部22に対して、時計回り方向４５度の角度で連結される。
【００４９】
以上の通り、本発明の照明器具用連結具10は、９０度間隔で配置された第１の腕部16〜第４の腕部22を有しており、第１の腕部16及び第２の腕部18にはコンタクトピン23ａ，23ｂを設けると共に、第３の腕部20及び第４の腕部22には長孔30ａ，30ｂを形成したので、第１の腕部16及び第２の腕部18のコンタクトピン23ａ，23ｂを、第１の照明器具50Ａ及び第２の照明器具50Ｂの長孔62ａ，62ａ内に挿入すると共に、第３の腕部20及び第４の腕部22の長孔30ａ，30ｂ内に、第３の照明器具50Ｃ及び第４の照明器具50Ｄのコンタクトピン69ａ，69ｂを挿入することにより、４本の照明器具50Ａ〜50Ｄを放射状に連結することができる。
【００５０】
また、第１の照明器具50Ａ及び第２の照明器具50Ｂの長孔62ａ，62ａ内に挿入された第１の腕部16及び第２の腕部18のコンタクトピン23ａ，23ｂを、長孔62ａ，62ｂに沿って移動させると共に、第３の腕部20及び第４の腕部22の長孔30ａ，30ｂ内に挿入された第３の照明器具50Ｃ及び第４の照明器具50Ｄのコンタクトピン69ａ，69ｂを、長孔30ａ，30ｂに沿って移動させることにより、第１の腕部16〜第４の腕部22と第１の照明器具50Ａ〜第４の照明器具50Ｄとの連結角度を９０度の範囲で調整することができる。
【００５１】
尚、第１の腕部16及び第２の腕部18のコンタクトピン23ａ，23ｂを、第１の照明器具50Ａ及び第２の照明器具50Ｂの長孔62ａ，62ａ内に挿入した状態においては、第１の腕部16及び第２の腕部18のネジ孔29と、第１の照明器具50Ａ及び第２の照明器具50Ｂのネジ孔64とが連通するようになっている。
また、第３の腕部20及び第４の腕部22の長孔30ａ，30ｂ内に、第３の照明器具50Ｃ及び第４の照明器具50Ｄのコンタクトピン69ａ，69ｂを挿入した状態においては、第３の腕部20及び第４の腕部22のネジ孔31と、第３の照明器具50Ｃ及び第４の照明器具50Ｄのネジ孔65とが連通するようになっている。
而して、上記方法で第１の腕部16〜第４の腕部22と第１の照明器具50Ａ〜第４の照明器具50Ｄとを所望の連結角度で連結した状態で、連通したネジ孔29とネジ孔64、連通したネジ孔31とネジ孔65にネジ36を螺合させて第１の腕部16〜第４の腕部22と第１の照明器具50Ａ〜第４の照明器具50Ｄとを固定するのである（図１４及び図１５）。
【００５２】
上記においては、第３の腕部20及び第４の腕部22の円弧状の長孔30ａ，30ｂの中心角が９０度であり、また、照明器具50の円弧状の長孔62ａ，62ａの中心角が９０度である場合を例示したが、これに限定されるものではなく、例えば、上記長孔30ａ，30ｂ、長孔62ａ，62ａの中心角を９０度より大きく成せば、９０度より大きい範囲で連結角度の調整が可能となる。
【００５３】
また上記においては、９０度間隔で４本の腕部（第１の腕部16〜第４の腕部22）を形成した場合を例示したが、これに限定されるものではなく、１２０度間隔で３本の腕部を形成したり、或いは、６０度間隔で６本の腕部を形成するようにしても良い。さらには、異なる角度間隔で複数の腕部を形成しても良い。要するに、所定の角度間隔で複数の腕部が形成されていれば良い。
【００５４】
さらに上記においては、第１の腕部16及び第２の腕部18にコンタクトピン23ａ，23ｂを設けると共に、第３の腕部20及び第４の腕部22に長孔30ａ，30ｂを形成した場合を例示したが、照明器具50との連結を行うためには、各腕部16，18，20，22に、コンタクトピン23ａ，23ｂ或いは長孔30ａ，30ｂの何れかが形成されていれば良い。
【００５５】
上記の通り、基板12上には４本の導体パターン34ａ，34ｂ，34ｃ，34ｄが形成されており（図１１参照）、コンタクトピン23ａ，23ｂを有する第１の腕部16と長孔30ａ，30ｂを有する第４の腕部22とが、第１の導体パターン34ａ及び第２の導体パターン34ｂを介して電気的接続が可能となり、また、コンタクトピン23ａ，23ｂを有する第２の腕部18と長孔30ａ，30ｂを有する第３の腕部20とが、第３の導体パターン34ｃ及び第４の導体パターン34ｄを介して電気的接続が可能となっている。
また、上記照明器具50の長孔62ａ，62ｂ内に露出した基板52の表面には、ＬＥＤ60に接続された導体パターンが延設され、また、コンタクトピン69ａ，69ｂは、ＬＥＤ60に接続された導体パターンと接続する導電板70に固定されている。
【００５６】
従って、本発明の照明器具用連結具10の第１の腕部16〜第４の腕部22に、第１の照明器具50Ａ〜第４の照明器具50Ｄを連結すると、第１の腕部16に連結された第１の照明器具50Ａと第４の腕部22に連結された第４の照明器具50Ｄとの電気的接続が実現されると共に、第２の腕部18に連結された第２の照明器具50Ｂと第３の腕部20に連結された第３の照明器具50Ｃとの電気的接続が実現される。
【００５７】
すなわち、第１の腕部16のコンタクトピン23ａ，23ｂを、第１の照明器具50Ａの長孔62ａ，62ｂ内に挿入して導体パターン（図示せず）上に載置・接続すると共に、第４の腕部22の長孔30ａ，30ｂ内に、第４の照明器具50Ｄのコンタクトピン69ａ，69ｂを挿入して導体パターン34ａ，34ｂ上に載置・接続すると、第１の照明器具50ＡのＬＥＤ60−導体パターン−第１の腕部16のコンタクトピン23ａ，23ｂ−導電板24，24−導体パターン34ａ，34ｂ−第４の照明器具50Ｄのコンタクトピン69ａ，69−導電板70，70−導体パターン（図示せず）−第４の照明器具50ＤのＬＥＤ60とが電気的に接続され、第１の照明器具50Ａと第４の照明器具50Ｄとの電気的接続を実現できる。
また、第２の腕部18のコンタクトピン23ａ，23ｂを、第２の照明器具50Ｂの長孔62ａ，62ｂ内に挿入して導体パターン（図示せず）上に載置・接続すると共に、第３の腕部20の長孔30ａ，30ｂ内に、第３の照明器具50Ｃのコンタクトピン69ａ，69ｂを挿入して導体パターン34ａ，34ｂ上に載置・接続すると、第２の照明器具50ＢのＬＥＤ60−導体パターン（図示せず）−第２の腕部18のコンタクトピン23ａ，23ｂ−導電板24，24−導体パターン34ｃ，34ｄ−第３の照明器具50Ｃのコンタクトピン69ａ，69−導電板70，70−導体パターン（図示せず）−第４の照明器具50ＤのＬＥＤ60とが電気的に接続され、第２の照明器具50Ｂと第３の照明器具50Ｃとの電気的接続を実現できる。
【００５８】
照明器具用連結具10の上記コンタクトピン23ａ，23ｂは、スプリング26が圧縮することにより、先端部27が導体パターン34ａ，34ｂ，34ｃ，34ｄ方向への付勢力を持った状態で導体パターン34ａ，34ｂ，34ｃ，34ｄに圧接されるので接続強度が大きい。
もっとも、コンタクトピン23ａ，23ｂを挿通固定する導電板24，24が外力等を受けて上方へ変形し、コンタクトピン23ａ，23ｂの位置が上方にずれると、コンタクトピン23ａ，23ｂを、照明器具50の長孔62ａ，62ｂ内に挿入した際に、コンタクトピン23ａ，23ｂを長孔62ａ，62ｂ内の導体パターン（図示せず）に接触させることができず、その結果、電気的接続が実現できなくなる。
そこで、本発明にあっては、図１２に示す位置決部材28を、蓋部14と導電板24，24との間に介在させることにより、導電板24，24の上方への変形及びコンタクトピン23ａ，23ｂの上方への位置ずれを防止している。
【００５９】
尚、本発明の照明器具用連結具10は、長孔30ａ，30ｂが形成されている部分を除く、上記蓋部14の内面に、凹凸32より成る光拡散部33を形成している。
また、照明器具50にも、長孔62ａ，62ｂが形成されている一端部54ａを除く、ＬＥＤ60上方の蓋部54内面及び他端部54ｂ内面に、凹凸66より成る光拡散部68を形成している。
従って、第１の腕部16及び第２の腕部18のコンタクトピン23ａ，23ｂを、第１の照明器具50Ａ及び第２の照明器具50Ｂの長孔62ａ，62ａ内に挿入して、第１の腕部16及び第２の腕部18を、第１の照明器具50Ａ及び第２の照明器具50Ｂの蓋部54の一端部54ａ上に配置すると、連結部分において、第１の腕部16及び第２の腕部18の蓋部14に形成した光拡散部33が視認されるようになる。
また、第３の腕部20及び第４の腕部22の長孔30ａ，30ｂ内に、第３の照明器具50Ｃ及び第４の照明器具50Ｄのコンタクトピン69ａ，69ｂを挿入して、第３の照明器具50Ｃ及び第４の照明器具50Ｄの蓋部54の他端部54ｂを、第３の腕部20及び第４の腕部22上に配置すると、連結部分において、第３の照明器具50Ｃ及び第４の照明器具50Ｄの蓋部54の他端部54ｂに形成した光拡散部68が視認されるようになる。
その結果、図１３及び図１９に示すように、第１の腕部16〜第４の腕部22を構成する蓋部14の光拡散部33と、第１の照明器具50Ａ〜第４の照明器具50Ｄの蓋部54の光拡散部68とが連続的に視認されるので、連結した照明器具用連結具10と照明器具50との一体感を持たせることができる。
【００６０】
上記の通り、本発明の照明器具用連結具10の第１の腕部16〜第４の腕部22に、４本の照明器具50Ａ〜50Ｄを連結すると、第１の腕部16に連結された第１の照明器具50Ａと第４の腕部22に連結された第４の照明器具50Ｄとの電気的接続が実現されると共に、第２の腕部18に連結された第２の照明器具50Ｂと第３の腕部20に連結された第３の照明器具50Ｃとの電気的接続が実現されるよう構成するのが望ましいが、単に、第１の腕部16〜第４の腕部22と第１の照明器具50Ａ〜第４の照明器具50Ｄとを機械的にのみ連結するよう構成することもできる。この場合は、基板12に導体パターン34ａ，34ｂ，34ｃ，34ｄを形成する必要はなく、また、長孔挿入部材を導電材（コンタクトピン23ａ，23ｂや導電板24）で構成する必要はない。
【図面の簡単な説明】
【００６１】
【図１】本発明に係る照明器具用連結具を示す正面図である。
【図２】本発明に係る照明器具用連結具を示す背面図である。
【図３】本発明に係る照明器具用連結具を示す平面図である。
【図４】本発明に係る照明器具用連結具を示す底面図である。
【図５】本発明に係る照明器具用連結具を示す右側面図である。
【図６】本発明に係る照明器具用連結具を示す左側面図である。
【図７】本発明に係る照明器具用連結具を示す斜視図である。
【図８】図１のＡ−Ａ’拡大断面図である。
【図９】図１のＢ−Ｂ’拡大断面図である。
【図１０】コンタクトピンを示す説明図である。
【図１１】基板表面の導体パターンを示す説明図である。
【図１２】位置決部材を示す説明図であり、（ａ）は平面図、（ｂ）は正面図、（ｃ）は底面図、（ｄ）は左側面図、（ｅ）は右側面図、（ｆ）は断面図である。
【図１３】本発明に係る照明器具用連結具の腕部に、照明器具をライン状に連結した状態を示す正面図である。
【図１４】図１３のＣ−Ｃ’  Ｄ−Ｄ’部分拡大図である。
【図１５】図１４のＥ−Ｅ’拡大断面図である。
【図１６】図１４のＦ−Ｆ’拡大断面図である。
【図１７】図１４のＧ−Ｇ’拡大断面図である。
【図１８】本発明に係る照明器具用連結具の腕部に、照明器具をライン状に連結した場合の長孔内におけるコンタクトピンの配置位置を示す説明図である。
【図１９】本発明に係る照明器具用連結具の腕部に、照明器具を反時計回り方向４５度の角度で連結した状態を示す正面図である。
【図２０】本発明に係る照明器具用連結具の腕部に、照明器具を反時計回り方向４５度の角度で連結した場合の長孔内におけるコンタクトピンの配置位置を示す説明図である。
【図２１】従来の連結式照明器具を示す平面図である。
【図２２】従来の連結式照明器具を示す正面図である。
【図２３】従来の連結式照明器具を示す底面図である。
【図２４】従来の連結式照明器具を示す右側面図である。
【図２５】従来の連結式照明器具を示す左側面図である。
【図２６】図２１のＨ−Ｈ断面図である。
【図２７】図２１のＩ−Ｉ断面図である。
【図２８】従来の連結式照明器具同士をライン状に連結した状態を示す平面図である。
【図２９】従来の連結式照明器具同士をライン状に連結した場合の長孔内におけるコンタクトピンの配置位置を示す説明図である。
【図３０】従来の連結式照明器具同士を上方４５度の角度で連結した状態を示す平面図である。
【図３１】従来の連結式照明器具同士を上方４５度の角度で連結した場合の長孔内におけるコンタクトピンの配置位置を示す説明図である。
【図３２】従来の連結式照明器具同士をライン状に連結した場合の要部拡大断面図である。
【符号の説明】
【００６２】
10    照明器具用連結具
12    基板
14    蓋部
16    第１の腕部
18    第２の腕部
20    第３の腕部
22    第４の腕部
23ａ  コンタクトピン
23ｂ  コンタクトピン
24    導電板
25    コンタクトピンの筒状体
26    コンタクトピンのスプリング
27    コンタクトピンの先端部
28    位置決部材
29    ネジ孔
30ａ  長孔    
30ｂ  長孔    
31    ネジ孔
32    凹凸
33    光拡散部
34ａ  導体パターン
34ｂ  導体パターン
34ｃ  導体パターン
34ｄ  導体パターン
36    ネジ
50    照明器具
54    照明器具の蓋部
54ａ  照明器具の蓋部の一端部
54ｂ  照明器具の蓋部の他端部
62ａ  照明器具の蓋部の長孔
62ｂ  照明器具の蓋部の長孔
64    照明器具のネジ孔
65    照明器具のネジ孔
69ａ  照明器具の蓋部のコンタクトピン
69ｂ  照明器具の蓋部のコンタクトピン
【図１】
0005469001.tif 000002
【図２】
0005469001.tif 000003
【図３】
0005469001.tif 000004
【図４】
0005469001.tif 000005
【図５】
0005469001.tif 000006
【図６】
0005469001.tif 000007
【図７】
0005469001.tif 000008
【図８】
0005469001.tif 000009
【図９】
0005469001.tif 000010
【図１０】
0005469001.tif 000011
【図１１】
0005469001.tif 000012
【図１２】
0005469001.tif 000013
【図１３】
0005469001.tif 000014
【図１４】
0005469001.tif 000015
【図１５】
0005469001.tif 000016
【図１６】
0005469001.tif 000017
【図１７】
0005469001.tif 000018
【図１８】
0005469001.tif 000019
【図１９】
0005469001.tif 000020
【図２０】
0005469001.tif 000021
【図２１】
0005469001.tif 000022
【図２２】
0005469001.tif 000023
【図２３】
0005469001.tif 000024
【図２４】
0005469001.tif 000025
【図２５】
0005469001.tif 000026
【図２６】
0005469001.tif 000027
【図２７】
0005469001.tif 000028
【図２８】
0005469001.tif 000029
【図２９】
0005469001.tif 000030
【図３０】
0005469001.tif 000031
【図３１】
0005469001.tif 000032
【図３２】
0005469001.tif 000033